(57)【要約】      （修正有）【課題】粉体塗料の回収効率を向上させるとともに、塗装ブースから粉体塗料が漏洩することや、外部から塗装ブース内に塵等が進入することを回避する。【解決手段】底壁３４と側壁３６、３８の間と、上流側壁４２及び下流側壁４４の各々に形成された導入口４６、導出口４８の近傍とには、フード部５０、５２、６８、７０がそれぞれ設けられる。そして、フード部５０、５２に形成されたダクトホース接続部５４、５６、フード部６８、７０を構成する中空フランジ部７２ａ〜７２ｃ、７４ａ〜７４ｄに形成されたダクトホース接続部７６ａ〜７６ｄ、７８ａ〜７８ｄから、塗装ブース１４内外の大気と、塗装ガン１６ａ〜１６ｅから吐出されてワークＷに塗着されなかった未塗着の粉体塗料とが吸引されて粉体塗料回収機構に回収される。【選択図】図１
2010167401.tif 000002
【特許請求の範囲】
【請求項１】
アース接続されて搬送された被塗装物を搬入するとともに、前記塗装物が導入される導入口、及び導出される導出口が形成された塗装ブースと、
前記塗装ブースに設置され、帯電させた粉体塗料を前記被塗装物に対して吐出するための塗装ツールと、
前記塗装ツールから吐出されて前記被塗装物に塗着されなかった未塗着の粉体塗料を吸引するための吸引機構を含む粉体塗料回収機構と、
を備え、
前記導入口及び前記導出口の近傍に、複数個のダクトホース接続部がそれぞれ形成され、
前記未塗着の粉体塗料を、前記塗装ブースの内外の大気とともに前記ダクトホース接続部に接続されたダクトホースから吸引して前記粉体塗料回収機構に回収することを特徴とする粉体塗装装置。
【請求項２】
請求項１記載の粉体塗装装置において、前記複数個のダクトホース接続部中の少なくとも４個が、四角形の隅角部に対応する部位に配置されていることを特徴とする粉体塗装装置。
【請求項３】
請求項１又は２記載の粉体塗装装置において、前記複数個のダクトホース接続部は、前記導入口及び前記導出口近傍のそれぞれに装着されたフードに形成されていることを特徴とする粉体塗装装置。
【請求項４】
請求項３記載の粉体塗装装置において、前記フードにＸ字状部位が含まれ、前記複数個のダクトホース接続部が前記Ｘ字状部位の各先端に形成されていることを特徴とする粉体塗装装置。
【請求項５】
請求項１〜４のいずれか１項に記載の粉体塗装装置において、前記塗装ブース中の前記複数個のダクトホース接続部が設けられた端面とは別の端面の底部に、前記ダクトホース接続部とは別のダクトホース接続部がさらに形成され、前記未塗着の粉体塗料を前記別のダクトホース接続部に接続されたダクトホースからも吸引して前記粉体塗料回収機構に回収することを特徴とする粉体塗装装置。
【請求項６】
請求項１〜５のいずれか１項に記載の粉体塗装装置において、前記塗装ツールを２個以上有し、且つその中の少なくとも２個が、互いの吐出口が対向するように前記塗装ブースの側壁に設置されることを特徴とする粉体塗装装置。
【請求項７】
請求項１〜５のいずれか１項に記載の粉体塗装装置において、前記塗装ツールを３個以上有し、且つその中の少なくとも２個が、互いの吐出口が対向するようにして前記塗装ブースにおける前記被塗装物の進行方向に対して略平行方向に延在する両側壁に設置されるとともに、前記両側壁に橋架され且つ前記被塗装物の進行方向に対して略平行方向に延在する壁に少なくとも１個の前記塗装ツールが設置され、前記少なくとも１個の前記塗装ツールから吐出された粉体塗料が、前記少なくとも２個の前記塗装ツールから吐出された粉体塗料に衝突することを特徴とする粉体塗装装置。
【請求項８】
請求項１〜７のいずれか１項に記載の粉体塗装装置において、前記塗装ブースが絶縁体から構成されたものであることを特徴とする粉体塗装装置。
【請求項９】
請求項１〜７のいずれか１項に記載の粉体塗装装置において、前記塗装ブースの内壁に絶縁体からなる保護材が設けられたことを特徴とする粉体塗装装置。
【請求項１０】
請求項１〜９のいずれか１項に記載の粉体塗装装置において、前記塗装ブースの上部の壁が前記被塗装物から離間するに従って互いに接近する方向に屈曲又は湾曲形成されたことを特徴とする粉体塗装装置。
【請求項１１】
請求項１〜１０のいずれか１項に記載の粉体塗装装置において、前記塗装ブースの内部に向かって圧縮気体を吐出する吐出口が形成されたことを特徴とする粉体塗装装置。
【発明の詳細な説明】
【技術分野】
【０００１】
本発明は、粉体塗料を被塗装物に塗着させることで前記被塗装物に対して塗装を施す粉体塗装装置に関する。
【背景技術】
【０００２】
被塗装物に対して塗装を施す一手法として、アース接続された被塗装物を塗装ブース内に搬入し、次に、この塗装ブース内に、帯電された粉体塗料を吐出する、いわゆる粉体塗装が挙げられる。この場合、粉体塗料は、搬送用エアに同伴されて吐出された後、被塗装物と粉体塗料との間の静電作用によって被塗装物に引き寄せられ、最終的に、該被塗装物に塗着される。
【０００３】
この種の粉体塗装においては、粉体塗料が塗装ブースの外部に漏洩することを防止するべく、例えば、塗装ブースにエア噴出口を設けてエアカーテンを形成することがある。すなわち、この場合、粉体塗料の流れをエアカーテンによって堰止し、これにより粉体塗料が塗装ブース内に留められる。
【０００４】
エアカーテンは、塗装ブースを複数個の作業ブースに仕切るためにも用いられる。この技術に関連し、特許文献１においては、任意の作業ブースに吐出された粉体塗料が隣接する作業ブースに進入することを回避するべく、エアカーテンの近傍にエア吸引口を設け、エア噴出口から噴出されたエアをエア吸引口から吸引する仕切装置が提案されている。
【先行技術文献】
【特許文献】
【０００５】
【特許文献１】特開平４−３４９９６０号公報
【発明の概要】
【発明が解決しようとする課題】
【０００６】
粉体塗装においては、被塗装物に塗着しなかった粉体塗料を回収し、塗装ブースに戻した上で被塗装物に向けて再吐出することが一般的である。このため、粉体塗料の回収効率を可及的に向上させることが望まれる。
【０００７】
ところで、前記特許文献１記載の従来技術は、上記したように前記仕切装置によって塗装ブース内を複数個の作業ブースに区画するようにしており、この場合、粉体塗料は、仕切装置によって形成されたエアカーテンで堰止され、その後、エアとともにエア吸引口に吸引されることになる。しかしながら、特許文献１には、エア吸引口に吸引された後の粉体塗料の回収・再吐出経路について、何ら記載されていない。
【０００８】
すなわち、特許文献１記載の従来技術を参照しても、粉体塗料の回収効率を向上させることについての知見を得ることは容易ではない。
【０００９】
本発明は上記した問題を解決するためになされたもので、簡便な構成で粉体塗料の回収効率を向上させ、しかも、塗装ブースから粉体塗料が漏洩することや、外部から塗装ブース内に塵等が進入することを回避し得る粉体塗装装置を提供することを目的とする。
【課題を解決するための手段】
【００１０】
前記の目的を達成するために、本発明は、アース接続されて搬送された被塗装物を搬入するとともに、前記塗装物が導入される導入口、及び導出される導出口が形成された塗装ブースと、
前記塗装ブースに設置され、帯電させた粉体塗料を前記被塗装物に対して吐出するための塗装ツールと、
前記塗装ツールから吐出されて前記被塗装物に塗着されなかった未塗着の粉体塗料を吸引するための吸引機構を含む粉体塗料回収機構と、
を備え、
前記導入口及び前記導出口の近傍に、複数個のダクトホース接続部がそれぞれ形成され、
前記未塗着の粉体塗料を、前記塗装ブースの内外の大気とともに前記ダクトホース接続部に接続されたダクトホースから吸引して前記粉体塗料回収機構に回収することを特徴とする。
【００１１】
このように、本発明においては、導入口及び導出口の各近傍から塗装ブースの内外の大気を吸引するようにしている。このため、塗装ブースの内方又は外方のいずれか一方の圧力が残余の他方に比して低くなり、いわゆる負圧状態となって塗装ブースから外方への、又はその逆方向の流れが生じたとしても、ダクトホースから塵や未塗着の粉体塗料を回収することが可能となる。従って、塗装ブースの内部と外部の圧力を均衡させることなく、該塗装ブース内から粉体塗料が漏洩することと、外部から塗装ブース内に塵等が混入することの双方を同時に回避することができる。
【００１２】
しかも、大気とともに吸引された未塗着の粉体塗料は、粉体塗料回収機構に回収される。その後、適切な再生処理が施された後、前記塗装ツールから再吐出される。従って、粉体塗料の回収効率及び使用効率が大幅に上昇する。
【００１３】
前記複数個のダクトホース接続部は、例えば、その中の少なくとも４個を四角形の隅角部に対応する部位に配置するようにすればよい。この場合、塗装ブース内の大気が効率よく前記ダクトホース接続部に向かう。すなわち、いわゆる整流効果が容易に得られる。
【００１４】
前記複数個のダクトホース接続部を、前記導入口及び前記導出口近傍のそれぞれに装着されたフードに形成するようにしてもよい。この場合、前記フードを、Ｘ字状部位を含めて構成し、該Ｘ字状部位の各先端にダクトホース接続部を形成するようにすればよい。
【００１５】
さらに、前記塗装ブース中、前記複数個のダクトホース接続部が設けられた端面とは別の端面の底部に、前記ダクトホース接続部とは別のダクトホース接続部を形成し、この別のダクトホース接続部に接続されたダクトホースからも、未塗着の粉体塗料を吸引することが好ましい。このように、複数箇所から粉体塗料を吸引することにより、塗装ブース内に残留する粉体塗料量を著しく低減することができる。このため、粉体塗料の回収効率が一層向上する。
【００１６】
いずれの場合においても、前記塗装ツールを２個以上設け、且つその中の少なくとも２個を、互いの吐出口が対向するように前記塗装ブースの側壁に設置することが好ましい。この場合、互いに対向する塗装ツールの一方の吐出口から吐出された粉体塗料に対し、他方の塗装ツールの吐出口から粉体塗料とともに吐出された搬送用エアが干渉する。このため、例えば、塗装ブース内において上方に拡散しようとする粉体塗料が、対向する吐出口から吐出されて上方に拡散しようとする搬送用エアとぶつかり、その結果、粉体塗料は、吐出の際に搬送エアから付与された運動エネルギが相殺された状態となり、被塗装物の周辺に分散浮遊するようになる。
【００１７】
下方に拡散しようとする粉体塗料についても同様に、対向する吐出口から吐出されて下方に拡散しようとする搬送用エアとぶつかる。これにより、この粉体塗料も被塗装物の周辺に分散浮遊するようになる。
【００１８】
このようにして被塗装物の周辺に分散浮遊するようになった粉体塗料は、静電作用によって被塗装物に引き寄せられる。このため、粉体塗料が該被塗装物に対して効率よく塗着する。すなわち、塗装効率が向上する。
【００１９】
しかも、この場合、未塗着の粉体塗料量が低減するので、粉体塗料の回収量及び再生処理量が低減する。このため、再生処理に要するコストを低減することもできる。
【００２０】
又は、前記塗装ツールを３個以上設け、且つその中の少なくとも２個を、互いの吐出口が対向するようにして前記塗装ブースにおける前記被塗装物の進行方向に対して略平行方向に延在する両側壁に設置するとともに、前記両側壁に橋架され且つ前記被塗装物の進行方向に対して略平行方向に延在する壁に少なくとも１個の前記塗装ツールを設置するようにしてもよい。
【００２１】
この場合、上記した流れの他、塗装ブースの上方から下方に向かう流れ、又はその逆方向の流れが生じる。前記少なくとも１個の前記塗装ツールから吐出された粉体塗料が、前記少なくとも２個の前記塗装ツールから吐出された粉体塗料に衝突するからである。
【００２２】
すなわち、例えば、塗装ツールが天井壁に設置されている場合、互いに対向する塗装ツールから吐出されて上方に拡散しようとする粉体塗料が、天井壁に設置された塗装ツールから吐出された搬送用エアによって下方に流される。逆に、塗装ツールが底壁に設置されている場合、互いに対向する塗装ツールから吐出されて下方に拡散しようとする粉体塗料は、底壁に設置された塗装ツールから吐出された搬送用エアによって上方に流される。従って、被塗装物に向かう粉体塗料量が一層増加する一方、再生処理量が一層低減するので、塗装効率が向上するとともに、再生処理に要するコストがさらに低減する。
【００２３】
上記した構成においては、塗装ブースを絶縁体で構成することが好ましい。又は、塗装ブースの内壁に絶縁体からなる保護材を設けるようにしてもよい。
【００２４】
上述の通り、粉体塗料は静電作用を介して被塗装物に引き寄せられる。これに対し、絶縁体からなる塗装ブース、又は絶縁体からなる保護材では、粉体塗料との間に静電作用が惹起されることが防止される。従って、塗装ツールから吐出された粉体塗料や、被塗装物に付着せずに浮遊した未塗着の粉体塗料等が塗装ブースに引き寄せられることが回避される。このため、被塗装物に付着する粉体塗料の割合が上昇するとともに、未塗着の粉体塗料の回収効率が向上する。
【００２５】
しかも、この場合、塗装ブースないしは保護材に粉体塗料が付着し難いので、塗装ブースの内部を清掃することが著しく容易となる。このため、塗装色を変更する際の清掃時間が短縮されるので、サイクルタイムも短縮される。
【００２６】
絶縁体の好適な例としては、発泡ポリエステルを挙げることができる。発泡ポリエステルには気泡が多く含まれるので、高い絶縁性を示すからである。すなわち、この場合、粉体塗料が塗装ブースに引き寄せられることを一層回避し得るようになる。
【００２７】
いずれの場合においても、塗装ブースの上部の壁を、被塗装物から離間するに従って互いに接近する方向に屈曲又は湾曲形成することが好ましい。塗装ツールから吐出された粉体塗料は、このように屈曲又は湾曲された壁に対して付着し難いからである。従って、例えば、塗装色を変更する際の塗装ブースないし保護材の清掃時間が一層短縮され、その結果、サイクルタイムがさらに短縮される。
【００２８】
また、塗装ブースの内部に向かって圧縮気体を吐出する吐出口が形成することが好ましい。これにより、例えば、塗装色を変更する際、該吐出口から圧縮気体を吐出することで、塗装ブースないし保護材に付着した粉体塗料を容易に除去することができるようになる。又は、塗装ツールから粉体塗料を吐出して塗装作業を行っている最中に該吐出口から圧縮気体を塗装ブースの内壁に向かって吐出し、いわゆるエアブローを行うことで清掃を同時に行うようにしてもよい。
【発明の効果】
【００２９】
本発明によれば、導入口及び導出口の各近傍から塗装ブースの内外の大気を吸引するようにしているので、該塗装ブース内から粉体塗料が漏洩すること、及び外部から塗装ブース内に塵等が混入することを同時に回避することができる。しかも、この場合、塗装ブースの内部と外部の圧力を均衡させる必要は特になく、このため、制御が容易である。
【００３０】
また、大気とともに吸引された未塗着の粉体塗料を粉体塗料回収機構に回収し、塗装ツールから再吐出可能な構成としている。従って、粉体塗料の回収効率及び使用効率が著しく向上する。
【図面の簡単な説明】
【００３１】
【図１】本実施の形態に係る粉体塗装装置の全体概略斜視図である。
【図２】図１の粉体塗装装置の概略正面縦断面図である。
【図３】図１の粉体塗装装置の概略正面図である。
【図４】図１の粉体装置を構成する塗装ガンの全体概略側面図である。
【図５】別の実施の形態に係る粉体塗装装置の概略正面縦断面図である。
【図６】また別の実施の形態に係る粉体塗装装置の概略正面縦断面図である。
【図７】さらに別の実施の形態に係る粉体塗装装置の概略正面縦断面図である。
【図８】さらにまた別の実施の形態に係る粉体塗装装置の概略正面縦断面図である。
【発明を実施するための形態】
【００３２】
以下、本発明に係る粉体塗装装置につき好適な実施の形態を挙げ、添付の図面を参照して詳細に説明する。
【００３３】
図１は、本実施の形態に係る粉体塗装装置１０の全体概略斜視図である。この粉体塗装装置１０は、被塗装物であるワークＷを搬送するための搬送機構１２と、前記ワークＷが搬入される塗装ブース１４と、該塗装ブース１４に設置された塗装ガン１６ａ〜１６ｅ（塗装ツール）とを備える。
【００３４】
搬送機構１２は、略逆Ｔ字状の支持部材１８に支持された搬送用案内レール２０と、該搬送用案内レール２０に変位自在に支持されたワーク固定台２２とを有する。この中、搬送用案内レール２０の一側面には凸部２４が突出形成され、該凸部２４は、前記ワーク固定台２２を構成するベース部材２６の一側面に形成された係合溝２８に係合されている。
【００３５】
ベース部材２６の他側面には、円柱状部材３０が連結されている。さらに、この円柱状部材３０の先端部には図示しない載置固定台が設けられ、ワークＷはこの載置固定台上に固定されている。
【００３６】
ベース部材２６は、図示しない駆動機構の作用下に前記搬送用案内レール２０に沿って変位する。この変位に伴い、未塗装のワークＷが塗装ブース１４に対して接近して搬入される一方、塗装済のワークＷが塗装ブース１４から露呈して離間する。なお、本実施の形態では、ベース部材２６は常時変位しており、このため、ワークＷは、塗装ブース１４内への搬入から搬出に至るまで継続的に移動する。
【００３７】
フレーム部材３２ａ〜３２ｄによって支持された塗装ブース１４は、図１及び図２に示すように、底壁３４と、前記底壁３４から略垂直方向に立ち上げられ且つワークＷの進行方向に対して略平行に配置された側壁３６、３８と、これら側壁３６、３８同士に橋架された天井壁４０と、ワークＷの進行方向上流側及び下流側をそれぞれ閉塞する上流側壁４２及び下流側壁４４とを有する。勿論、上流側壁４２には、ワークＷを塗装ブース１４に搬入するための導入口４６が形成されており、同様に、下流側壁４４には、ワークＷを塗装ブース１４から露呈するための導出口４８が形成されている。
【００３８】
図２に示すように、底壁３４と側壁３６、３８の各々との間には若干のクリアランスが形成されており、各クリアランスを閉塞するようにしてフード部５０、５２がそれぞれ設けられる。これらフード部５０、５２からは、略円筒形状のダクトホース接続部５４、５６が若干上向きに傾斜して突出形成されている。これらダクトホース接続部５４、５６には、図示しないダクトホースがそれぞれ接続される。勿論、前記それぞれのダクトホースは、図示しない粉体塗料回収機構にわたって橋架される。
【００３９】
また、底壁３４には、略水平方向に延在する水平部５８、６０と、該水平部５８、６０から屈曲して天井壁４０に向かうように傾斜した２箇所の傾斜部６２、６４が形成されている。傾斜部６２、６４同士の間は互いに離間してクリアランス６６を形成しており、このクリアランス６６に前記円柱状部材３０が通される。
【００４０】
図１から諒解されるように、この場合、上流側壁４２及び下流側壁４４の高さ方向寸法及び幅方向寸法は、該上流側壁４２及び下流側壁４４が側壁３６、３８及び天井壁４０から突出するように設定されている。また、上流側壁４２及び下流側壁４４の底部端面は前記底壁３４と面一に設定され、さらに、上流側壁４２及び下流側壁４４には、前記傾斜部６２、６４の端面に当接するととともに前記導入口４６及び導出口４８の各々を囲繞する中空略四角柱形状のフード部６８、７０がそれぞれ形成されている。
【００４１】
これらフード部６８、７０の各頂点からは、対角線に沿って延在するようにして中空フランジ部７２ａ〜７２ｄ、７４ａ〜７４ｄが互いに略同寸法で突出形成されている。すなわち、これら中空フランジ部７２ａ〜７２ｄ、７４ａ〜７４ｄは、フード部６８、７０において、Ｘ字状をなすように設けられている。
【００４２】
そして、中空フランジ部７２ａ〜７２ｄ、７４ａ〜７４ｄの各先端部には、搬送用案内レール２０の延在方向、換言すれば、ワークＷの進行方向に沿って、略円筒形状のダクトホース接続部７６ａ〜７６ｄ、７８ａ〜７８ｄが形成されている。中空フランジ部７２ａ〜７２ｄ、７４ａ〜７４ｄがＸ字状をなすため、ダクトホース接続部７６ａ〜７６ｄ、又はダクトホース接続部７８ａ〜７８ｄの各々を通る仮想線を引いた場合、該仮想線の軌跡によって正方形ないし長方形が形成される。すなわち、ダクトホース接続部７６ａ〜７６ｄ、７８ａ〜７８ｄは、仮想的な四角形の頂点に対応する部位に配置されている。
【００４３】
これらダクトホース接続部７６ａ〜７６ｄ、７８ａ〜７８ｄの各々には、前記ダクトホースとは別のダクトホース（図示せず）がそれぞれ接続され、これらダクトホースの各々も、前記粉体塗料回収機構にわたって橋架されている。
【００４４】
中空フランジ部７２ａ〜７２ｄ、７４ａ〜７４ｄの内部は、フード部６８、７０の内部に各々連通する。すなわち、フード部６８、７０を経て導出された粉体塗料は、中空フランジ部７２ａ〜７２ｄ、７４ａ〜７４ｄ及びダクトホース接続部７６ａ〜７６ｄ、７８ａ〜７８ｄを通過し、さらに、前記ダクトホースを経由して前記粉体塗料回収機構に回収される。
【００４５】
以上のように構成された塗装ブース１４の内壁には、図２に示すように、保護材７９が接合されている。保護材７９の材質は、絶縁体であれば特に限定されるものではないが、気泡を含み、このために絶縁性が高い発泡ポリエステルを好適な例として挙げることができる。
【００４６】
この場合、側壁３６には２個の塗装ガン１６ａ、１６ｂが設置され、側壁３８には、前記塗装ガン１６ａ、１６ｂの位置に対応する位置に、塗装ガン１６ｃ、１６ｄが設置されている。さらに、天井壁４０には１個の塗装ガン１６ｅが設置されている。なお、塗装ガン１６ａ〜１６ｅは全て同一構成であるが、説明の便宜上、互いに別の参照符号を付している。
【００４７】
ここで、側壁３８に設置された塗装ガン１６ｃの全体概略側面図を図４に示す。この場合、塗装ガン１６ｃは、ガン本体８０と、該ガン本体８０から放射状に分岐して延在する１１本のノズルチューブ８２とを有する。ガン本体８０及びノズルチューブ８２の材質は、これらガン本体８０及びノズルチューブ８２の内部を摩擦しながら通過する粉体塗料に対して摩擦帯電を生じさせるようなものが選定され、好適な例としては、テトラフルオロエチレンが挙げられる。
【００４８】
１１本のノズルチューブ８２は、１本のチューブ支持部材８４によって直列に整列するようにして集束されている。さらに、チューブ支持部材８４は側壁３８に当接ないし接着されており、且つチューブ支持部材８４から突出したノズルチューブ８２の各終端は、側壁３８に形成された連通孔８６に挿入されている。なお、この場合、各終端の先端面は側壁３８の内壁に到達しておらず、連通孔８６の途中に位置している。
【００４９】
後述するように、粉体塗料は、ノズルチューブ８２の終端に形成された開口から連通孔８６を経て吐出される。すなわち、連通孔８６は、吐出口として機能する。
【００５０】
勿論、残余の塗装ガン１６ａ、１６ｂ、１６ｄ、１６ｅも同様に構成されている。従って、同一の構成要素には同一の参照符号を付し、その詳細な説明を省略する。
【００５１】
塗装ガン１６ａ、１６ｂ、１６ｄ、１６ｅを構成する各々のノズルチューブ８２の終端もまた、側壁３６又は天井壁４０に設けられた連通孔８６に挿入されている。塗装ガン１６ｃのノズルチューブ８２の終端と同様に、各終端の先端面は側壁３６又は天井壁４０の内壁に到達しておらず、連通孔８６の途中に位置している。
【００５２】
そして、図１に示すように、塗装ガン１６ａ、１６ｂと塗装ガン１６ｃ、１６ｄは、各々のガン本体８０、８０同士が略対向するようにして側壁３６、３８に設置されている。
【００５３】
以上の構成において、前記粉体塗料回収機構は吸引機構を有し、従って、前記粉体塗料回収機構が付勢されたときには、塗装ブース１４内の大気が前記ダクトホース接続部５４、５６、７６ａ〜７６ｄ、７８ａ〜７８ｄの各々に接続されたダクトホースを介して吸引される。
【００５４】
本実施の形態に係る粉体塗装装置１０は、基本的には以上のように構成されるものであり、次に、その動作並びに作用効果について説明する。
【００５５】
はじめに、ワーク固定台２２を構成する前記載置固定台の各々にワークＷが載置され、その後、該ワークＷないしワーク固定台２２がアースに対して電気的に接続される。さらに、前記搬送機構１２が付勢され、この付勢に伴い、ベース部材２６、ひいてはワークＷが搬送用案内レール２０に沿って塗装ブース１４に指向して移動する。
【００５６】
同時に、前記粉体塗料回収機構が付勢され、これにより、ダクトホース接続部５４、５６、７６ａ〜７６ｄ、７８ａ〜７８ｄの各々に接続されたダクトホースを介して塗装ブース１４内の大気が前記吸引機構の作用下に吸引される。フード部５０、５２、６８、７０における吸引速度は、例えば、風速が１〜３ｍ／秒となる程度とすればよい。
【００５７】
ワークＷ及び円柱状部材３０は、塗装ブース１４の上流側壁４２の導入口４６、及び傾斜部６２、６４同士の間のクリアランス６６をそれぞれ通過し、塗装ブース１４内を所定速度で緩やかに移動する。
【００５８】
塗装ブース１４内では、この移動に先立ち、塗装ガン１６ａ〜１６ｅに予め供給されていた粉体塗料が搬送用エアに同伴されて吐出されている。なお、粉体塗料は、塗装ガン１６ａ〜１６ｅの各ガン本体８０から各ノズルチューブ８２の終端の開口に至るまでの間に、これらガン本体８０及びノズルチューブ８２に対して摺接し、この際の摩擦によって帯電する。すなわち、粉体塗料は、帯電した状態で前記開口を通過した後に連通孔８６（吐出口）から吐出され、塗装ブース１４内に噴霧される。
【００５９】
上記したように、ワークＷは、直接、又はワーク固定台２２を介して間接的にアース接続されている。このため、帯電した状態で吐出された粉体塗料は、静電作用によってワークＷに引き寄せられ、その結果、該ワークＷに塗着される。
【００６０】
その一方で、塗装ブース１４内に噴霧された粉体塗料の一部は、搬送用エアが塗装ブース１４内に拡散することに伴って拡散する。通常の粉体塗装装置では、例えば、天井壁４０に向かって拡散した粉体塗料に付与された搬送用エアによる運動エネルギが、前記静電作用によってワークＷに向かおうとする運動エネルギに比して大きく、このため、この拡散した粉体塗料を塗着させることは容易ではない。
【００６１】
しかしながら、本実施の形態においては、塗装ガン１６ａに対して塗装ガン１６ｃを略対向する位置に配設している。このため、図３に示すように、塗装ガン１６ａから吐出・噴霧された粉体塗料及び搬送用エアの流れが、塗装ガン１６ｃから吐出・噴霧された粉体塗料及び搬送用エアの流れにぶつかる。換言すれば、塗装ガン１６ａ、１６ｃからの吐出パターン同士が干渉する。勿論、塗装ガン１６ｂ、１６ｄにおける吐出パターン同士についても同様である。
【００６２】
このため、塗装ブース１４内では、天井壁４０に向かって拡散した粉体塗料及び搬送用エア同士がぶつかり合い、その結果、粉体塗料が、吐出の際に搬送エアから付与された運動エネルギが相殺された状態となる。このため、粉体塗料は、ワークＷの周辺で分散浮遊する。
【００６３】
しかも、本実施の形態においては、天井壁４０に塗装ガン１６ｅが設置されている。この塗装ガン１６ｅにおける吐出パターンは、塗装ガン１６ａ〜１６ｄから吐出されて上方に拡散しようとする粉体塗料及び搬送用エアに干渉し、該粉体塗料及び搬送用エアの天井壁４０に向かうそれ以上の拡散を抑制する。この干渉によって、分散浮遊した粉体塗料がワークＷ側に向かって流される。
【００６４】
その一方で、底壁３４に向かって拡散した粉体塗料及び搬送用エア同士もぶつかり合い、これにより、粉体塗料がワークＷの周辺で分散浮遊した状態となる。
【００６５】
また、傾斜部６２、６４が、底壁３４に向かって拡散する粉体塗料及び搬送用エアの流れに対していわゆる邪魔板として機能し、これによって上方のワークＷ側に向かう流れが生じる。
【００６６】
以上のように、本実施の形態によれば、側壁３６、３８の連通孔８６、８６同士、すなわち、塗装ガン１６ａ〜１６ｄの吐出口同士を互いに略対向する位置に形成し、これにより該連通孔８６、８６を介して吐出・噴霧される吐出パターン同士が干渉するようにするとともに、天井壁４０にも、その吐出パターンが塗装ガン１６ａ〜１６ｄの吐出パターンに干渉する塗装ガン１６ｅを設置するようにしている。このため、粉体塗料の運動エネルギを喪失させ、静電作用によってワークＷ側に引き寄せられ易い状態とすることができる。
【００６７】
加えて、本実施の形態においては、塗装ブース１４の内壁に、発泡ポリエステル等の絶縁体からなる保護材７９が設けられている。保護材７９が絶縁体であるため、粉体塗料との間に静電作用が機能することが防止される。このため、粉体塗料がワークＷ側に一層引き寄せられ易くなる。
【００６８】
すなわち、この場合、塗装ブース１４内に吐出・噴霧された粉体塗料の大部分をワークＷに指向して移動させることができる。従って、ワークＷに対する塗装効率が向上するので、通常の塗装ブースで粉体塗装を行う場合に比して、未塗着の粉体塗料量が低減する。
【００６９】
しかも、上記したように、粉体塗料が分散浮遊した後に静電作用を介して被塗装物に付着するので、被塗装物の形状に関わらず、該被塗装物の全体にわたって塗膜の厚みが略一定となる。すなわち、厚みが略均一な塗膜を得ることも容易である。
【００７０】
また、例えば、塗装ツールを保持したロボット等を用いて静電塗装を行う場合に塗膜の厚みを略一定にするためには、それに応じた軌跡を作成するべく、ロボットに対して厳密なティーチングを行う必要がある。しかしながら、本実施の形態によれば、そのような厳密なティーチングを行うことなく、塗膜の厚みを略一定とすることができる。すなわち、煩雑な作業が不要となり、被塗装物への静電塗装を容易に実施することが可能となる。
【００７１】
このようにして粉体塗装が行われている間、上記したように塗装ブース１４内の大気が吸引されている。このため、塗装ブース１４内に吐出された粉体塗料がフード部６８、７０を介して漏洩することが防止される。また、導入口４６及び導出口４８を介して塗装ブース１４に進入しようとする大気は、フード部６８、７０に形成されたダクトホース接続部７６ａ〜７６ｄ、７８ａ〜７８ｄに接続された前記ダクトホースを介して吸引される。従って、外部から塗装ブース１４内に塵等が混入することが回避される。
【００７２】
このように、フード部６８、７０にダクトホース接続部７６ａ〜７６ｄ、７８ａ〜７８ｄ、換言すれば、吸引口を設けるようにしたことによって、塗装ブース１４の内部と外部の圧力を均衡させることなく、塗装ブース１４内から粉体塗料が漏洩すること、及び外部から塗装ブース１４内に塵等が混入することの双方を回避することが可能となる。
【００７３】
また、上記したように、ダクトホース接続部７６ａ〜７６ｄ、７８ａ〜７８ｄは、四角形の頂点に対応する部位に位置する。このため、塗装ブース１４内外の大気は、ダクトホース接続部７６ａ〜７６ｄ、７８ａ〜７８ｄに効率よく吸い寄せられる。すなわち、四角形の頂点に対応する部位にダクトホース接続部７６ａ〜７６ｄ、７８ａ〜７８ｄを設けたことにより、いわゆる整流効果が得られる。
【００７４】
未塗着の粉体塗料の大部分は、ダクトホース接続部５４、５６に接続された別のダクトホースを介して吸引されるが、一部は、前記ダクトホース接続部７６ａ〜７６ｄ、７８ａ〜７８ｄに接続された前記ダクトホースを介して吸引される。以上のようにしてダクトホース接続部５４、５６、７６ａ〜７６ｄ、７８ａ〜７８ｄを介して吸引された粉体塗料は、最終的に、前記粉体塗料回収機構に回収される。
【００７５】
すなわち、本実施の形態では、塗装ブース１４の底部両側方と、導入口４６及び導出口４８の各近傍から粉体塗料を吸引・回収するようにしている。このように、塗装ブース１４の複数箇所から粉体塗料を回収する構成としたことにより、塗装ブース１４内に残留する粉体塗料量が少なくなる。換言すれば、回収効率が向上する。
【００７６】
勿論、回収された粉体塗料は、適切な再生処理を経た後、吐出機構に戻されて塗装ガン１６ａ〜１６ｅのいずれかから再吐出される。このため、回収効率の向上と相俟って、粉体塗料の使用効率が向上する。
【００７７】
この場合、上記したように未塗着の粉体塗料量が少ないので、回収すべき粉体塗料の量も少ない。このため、該粉体塗料を再使用するための再生処理量が少なくなるのでコスト的に有利である。
【００７８】
ここで、ワークＷに付着することなく浮遊した未塗着の粉体塗料についても上記と同様に、保護材７９との間に静電作用が機能することが防止される。このため、未塗着の粉体塗料が保護材７９に付着することも回避され、ダクトホース接続部５４、５６及び前記ダクトホースを介して前記回収機構に効率よく回収される。すなわち、未塗着の粉体塗料の回収率が向上する。
【００７９】
しかも、本実施の形態においては、塗装ガン１６ａ〜１６ｅを構成するガン本体８０やノズルチューブ８２が塗装ブース１４内に露呈していない。このため、粉体塗料が塗装ガン１６ａ〜１６ｅに塗着することがないので、塗装ガン１６ａ〜１６ｅのメンテナンス頻度が著しく低減する。結局、塗装ガン１６ａ〜１６ｅに対してメンテナンスを行うべく塗装作業を中断する頻度が低減するので、ワークＷに対する塗装作業効率も向上する。
【００８０】
このようにしてワークＷに対する塗装がなされた後、前記ベース部材２６の継続的な変位に伴い、塗装済のワークＷが下流側壁４４の導出口４８を通過して塗装ブース１４から露呈する（搬出される）に至る。
【００８１】
ワークＷに対する塗装色を変更する場合には、それに応じた粉体塗料を選定すればよい。この際、一般的な塗装ブースでは、残留した粉体塗料が新たな粉体塗料に混入して色濁りが生じることを回避するべく、新たな粉体塗料を吐出する前に清掃を行う必要がある。これに対し、本実施の形態によれば、上記したように保護材７９に対して粉体塗料が付着することが回避されるので、保護材７９、ひいては塗装ブース１４の内部の汚れは僅かである。従って、簡素な清掃を行うのみでよく、このため、清掃作業に要する時間も短縮される。これに伴い、サイクルタイムも短縮する。
【００８２】
この際には、天井壁４０に設置された塗装ガン１６ｅからエアのみを供給し、これにより、塗装ブース１４の内壁を構成する保護材７９に付着した粉体塗料を除去することもできる。
【００８３】
又は、塗装ブース１４及び保護材７９を貫通する吐出口を形成し、この吐出口から、圧縮エアや圧縮窒素等の圧縮気体を吐出して保護材７９（塗装ブース１４の内壁）に付着した粉体塗料を除去するようにしてもよい。なお、吐出口を設ける場合、上記した塗装作業を行うと同時に、吐出口から吐出された圧縮気体によって保護材７９（塗装ブース１４の内壁）に対するエアブローを行うこともできる。
【００８４】
なお、上記した実施の形態においては、導入口４６及び導出口４８の近傍に各々４個のダクトホース接続部７６ａ〜７６ｄ、７８ａ〜７８ｄ（排気口）を設けるようにしているが、排気口の個数は特にこれに限定されるものではなく、例えば、６個であってもよいし８個であってもよい。勿論、それ以外の個数であってもよい。
【００８５】
また、フード部６８、７０を設けることは必須ではなく、上流側壁４２及び下流側壁４４における導入口４６及び導出口４８の近傍に排気口を直接形成するようにしてもよい。
【００８６】
さらに、底壁３４にクリアランス６６を設け、このクリアランス６６に通された円柱状部材３０にワークＷを支持することに代替し、天井壁４０にクリアランスを設けるとともに、このクリアランスに通された懸吊部材にワークＷを支持して塗装ガン１６ｅを底壁３４に設けるようにしてもよい。この場合は、ワークＷに対する塗装色を変更する際に清掃を行うとき、該塗装ガン１６ｅから吸引を行うことも可能である。
【００８７】
いずれの場合においても、天井壁４０又は底壁３４に塗装ガン１６ｅを設けることは必須ではない。すなわち、塗装ガン１６ｅを割愛して粉体塗装装置を構成するようにしてもよい。また、塗装ガン１６ａ、１６ｂのガン本体８０に対して塗装ガン１６ｃ、１６ｄのガン本体８０をそれぞれ略対向させる必要も特にない。
【００８８】
さらにまた、上記の摩擦帯電に代替し、コロナ帯電によって粉体塗料を帯電させるようにしてもよい。
【００８９】
そして、塗装ブース１４の内壁に保護材７９を設けることに代替し、図５に示すように、絶縁体からなる塗装ブース９０を含むようにして粉体塗装装置１０を構成するようにしてもよい。この場合においても、塗装ブース１４の内壁に保護材７９を設ける場合と同様の効果が得られる。勿論、絶縁体の好適な例としては発泡ポリエステル等を挙げることができる。
【００９０】
なお、本発明は、塗装ブース１４の内壁に保護材７９を設ける場合や、絶縁体からなる塗装ブース９０を設ける場合に限定されるものではない。すなわち、例えば、図６に示すように、導電体からなる塗装ブース１４のみを設ける場合も本発明に含まれる。
【００９１】
この場合においても、上記したように、塗装ガン１６ａ、１６ｂに対して塗装ガン１６ｃ、１６ｄを略対向する位置に配設していることから、粉体塗料の運動エネルギが喪失し、その結果、該粉体塗料が静電作用によってワークＷ側に引き寄せられ易い状態となる。このため、塗装ブース１４の内壁に粉体塗料が付着することを十分に回避することができる。
【００９２】
さらにまた、塗装ブースは、図７に示すように、上部の壁が被塗装物であるワークＷから離間するに従って互いに接近する方向に屈曲形成された塗装ブース９２であってもよいし、図８に示すように、湾曲形成された塗装ブース９４であってもよい。このような形状とした場合、該壁に対し、塗装ガン１６ａ〜１６ｅから吐出された粉体塗料が付着することが困難となる。従って、例えば、塗装色を変更する際の塗装ブース９２、９４の内壁、保護材７９を設けた場合には該保護材７９に対する清掃が一層容易となる。換言すれば、清掃時間が一層短縮され、その結果、サイクルタイムがさらに短縮される。
【００９３】
図７及び図８においては、塗装ブース９２、９４を導電体で構成した場合を例示して示しているが、図１と同様に、各内壁に保護材７９を設置するようにしてもよいし、図５と同様に、塗装ブース９２、９４を絶縁体で構成するようにしてもよいことはいうまでもない。
【符号の説明】
【００９４】
１０…粉体塗装装置                    １２…搬送機構
１４、９０、９２、９４…塗装ブース    １６ａ〜１６ｅ…塗装ガン
３４…底壁                            ３６、３８…側壁
４０…天井壁                          ５０、５２、６８、７０…フード部
５４、５６、７６ａ〜７６ｄ、７８ａ〜７８ｄ…ダクトホース接続部
６６…クリアランス
７２ａ〜７２ｄ、７４ａ〜７４ｄ…中空フランジ部
７９…保護材                          ８０…ガン本体
８２…ノズルチューブ                  ８４…チューブ支持部材
８６…連通孔                          Ｗ…ワーク
【図１】
2010167401.tif 000003
【図２】
2010167401.tif 000004
【図３】
2010167401.tif 000005
【図４】
2010167401.tif 000006
【図５】
2010167401.tif 000007
【図６】
2010167401.tif 000008
【図７】
2010167401.tif 000009
【図８】
2010167401.tif 000010